(57)【要約】【課題】  使用者が酸素富化空気と１緒に酸素富化空気供給経路内に結露した水滴を吸引するのを防止可能な使用性の高い酸素富化機を提供することを目的とする。【解決手段】  酸素富化空気を発生する酸素富化手段１５と、前記酸素富化手段１５で得られた酸素富化空気を吐出する吐出部７と、前記酸素富化手段１５と前記吐出部７とを接続する空気流路２４とを備え、前記空気流路２４中に前記酸素富化空気以外の空気を流入可能に構成した酸素富化機で、酸素富化空気と１緒に使用者が水滴を吸引することを防止できるようにするものである。【選択図】  図１
2004249084.tif 000002
【特許請求の範囲】
【請求項１】
酸素富化空気を発生する酸素富化手段と、前記酸素富化手段で得られた酸素富化空気を吐出する吐出部と、前記酸素富化手段と前記吐出部とを接続する空気流路とを備え、前記空気流路中に前記酸素富化空気以外の空気を流入可能に構成した酸素富化機。
【請求項２】
酸素富化空気以外の空気を空気流路中に取り入れる空気取り入れ部を備え、前記空気取り入れ部から前記空気流路に至る流路に空気流路切換手段を設けた請求項１記載の酸素富化機。
【請求項３】
空気取り入れ部と空気流路との連通状態を空気流路切換手段にて変更することで、酸素富化空気と酸素富化空気以外の空気とを吐出部より順次吐出可能に構成した請求項２記載の酸素富化機。
【発明の詳細な説明】
【技術分野】
【０００１】
本発明は、酸素富化手段を用いて得られる、いわゆる酸素富化空気を使用者に提供する酸素富化機の運転制御に関するものである。
【背景技術】
【０００２】
従来の酸素富化機としては、空気中の酸素を濃縮して酸素富化空気を発生させる装置本体と、これに接続された酸素吐出部とを基本構成とし、例えばマイナスイオン発生手段を備えるなどして色々に展開されてきている（例えば、特許文献１３照）。
【特許文献１】特開平１０−２３４８３６号公報
【発明の開示】
【発明が解決しようとする課題】
【０００３】
しかしながら従来の発明には、酸素濃縮装置から酸素吐出部に酸素富化空気が送られる経路の途中において結露が発生し、この結露した水滴がそのまま酸素吐出部から吐出して、使用者がこの結露した水滴等を酸素富化空気と１緒に吸込んでしまうという問題があった。
【０００４】
また、酸素吐出部までの経路内に水滴がそのまま残ってカビや雑菌の発生の原因となるという問題もあった。
【０００５】
本発明は、前記従来の課題を解決するもので、酸素富化空気の使用者への供給経路内に結露した水滴を、使用者が酸素富化空気と１緒に吸引することを防止することで、使用性の高い酸素富化機を提供することを目的とする。
【課題を解決するための手段】
【０００６】
前記従来の課題を解決するために本発明は、酸素富化空気を発生する酸素富化手段と、前記酸素富化手段で得られた酸素富化空気を吐出する吐出部と、前記酸素富化手段と前記吐出部とを接続する空気流路とを備え、前記空気流路中に前記酸素富化空気以外の空気を流入可能に構成した酸素富化機で、湿度の高い酸素富化空気供給中に供給経路内に発生する結露水を、酸素富化空気以外の空気を供給することで乾燥・排出して、酸素富化空気と１緒に使用者が水滴を吸引することを防止できるようにするものである。
【発明の効果】
【０００７】
以上のように本発明によれば、酸素富化空気の使用者への供給経路内に結露した水滴を、使用者が酸素富化空気と１緒に吸引することを防止することで、使用性の高い酸素富化機を提供できる。
【発明を実施するための最良の形態】
【０００８】
第１の発明は、酸素富化空気を発生する酸素富化手段と、前記酸素富化手段で得られた酸素富化空気を吐出する吐出部と、前記酸素富化手段と前記吐出部とを接続する空気流路とを備え、前記空気流路中に前記酸素富化空気以外の空気を流入可能に構成した酸素富化機で、湿度の高い酸素富化空気供給中に供給経路内に発生する結露水を、酸素富化空気以外の空気を供給することで乾燥・排出して、酸素富化空気と１緒に使用者が水滴を吸引することを防止できるようにするものである。
【０００９】
第２の発明は、酸素富化空気以外の空気を空気流路中に取り入れる空気取り入れ部を備え、前記空気取り入れ部から前記空気流路に至る流路に空気流路切換手段を設けたもので、酸素富化空気を発生させる運転が終了した後、空気流路切換手段を駆動すると、酸素富化手段の吸気圧損によって酸素富化空気以外の通常空気が空気流路に流入するようになる。酸素富化空気を発生運転中、湿度の高い酸素富化空気によって空気流路や空気供給経路内に発生する空気流路や空気供給経路内の結露水を、酸素富化空気以外の通常空気で乾燥・排出し、使用者が酸素富化空気を発生させる運転中に、酸素富化吸気と１緒に水滴を吸引することを防止できるようになる。
【００１０】
第３の発明は、空気取り入れ部と空気流路との連通状態を空気流路切換手段にて変更することで、酸素富化空気と酸素富化空気以外の空気とを吐出部より順次吐出可能に構成したもので、酸素富化空気を発生させる運転が終了した後、空気流路切換手段を駆動すると、酸素富化手段の吸気圧損によって酸素富化空気以外の通常空気が空気流路に流入するようになる。酸素富化空気を発生運転中、湿度の高い酸素富化空気によって空気流路や空気供給経路内に発生する空気流路や空気供給経路内の結露水を、酸素富化空気以外の通常空気で乾燥・排出し、使用者が酸素富化空気を発生させる運転中に、酸素富化吸気と１緒に水滴を吸引することを防止できるようになる。
【００１１】
（実施の形態１）
以下、本発明の第１の実施の形態について図面を用いて説明する。
【００１２】
図１は回路構成ブロック図、図２は概観図である。
【００１３】
図１において、装置本体１の内部には、酸素の濃度を高めいわゆる酸素富化空気を発生する酸素富化手段１５（本実施の形態の場合は酸素富化膜ユニット）を設けている。前記酸素富化手段１５の酸素富化膜ユニットは有機高分子の平膜より構成され、膜を通過する分子の速度の差を利用するもので、空気中の窒素に比べ酸素をよく通すため、比較的高い酸素濃度のいわゆる酸素富化空気が得られる。通常の空気において酸素が占める割合は約２１％（窒素約７９％）であるが、本実施の形態の酸素富化膜ユニット（酸素富化手段１５）を通過後の酸素富化空気においては、酸素が占める割合が約３０％（窒素約７０％）となる。
【００１４】
１０は吸引手段で、酸素富化手段１５で生成される酸素富化空気を、第４の連結管１４と空気流路切換手段１３と第３の連結管１１とを経て吸引して、第１の連結管３と液だまり５と第２の連結管４とヘッドセット６とを経て吐出部７から吐出させる。吸引手段１０は、酸素富化手段１５の酸素富化膜の通過圧損に対抗して酸素富化空気の流量を稼ぐために、運転時の圧力が高いベローズポンプを用いている。１３は空気流路切換手段で３方弁を用いており、制御手段８からの駆動信号で吸引手段１０が第３の連結管で吸引する空気が、酸素富化空気（第４の連結管１４を経由する酸素富化手段１５からの空気）と空気取り入れ部１２からの通常空気とを切り換えることで、本装置は酸素富化空気発生運転と送風運転との２種類の運転モードを具備する。このように、ヘッドセット６と第２の連結管４と液だまり５と第１の連結管３と吸引手段１０と第３の連結管１１と第４の連結管１４とで、酸素富化手段１５から吐出部７に至る空気流路２４を形成している。
【００１５】
図２の６はヘッドセットで、使用者が本装置を使用して酸素富化空気を吸引するときに頭部近傍に本ヘッドセット６を装着する。ところで、酸素富化手段１５（酸素富化膜ユニット）は酸素と同様水蒸気の透過度も窒素より大きく、湿度が高い雰囲気などで運転したときには酸素富化手段（酸素富化ユニット）から排出される酸素富化空気内には多量の水蒸気が含まれることとなるため、その水蒸気が吐出部７に結露水として達するのを低減させるために液だまり５が配置してある。
【００１６】
以上のように構成された酸素富化機においてその動作を説明する。
【００１７】
酸素富化空気発生時の運転時は、制御手段８は空気流路切換手段１３を第４の連結管１４と第３の連結管１１が連通するように制御した後吸引手段１０を駆動する。酸素富化手段１５で生成される酸素富化空気は第４の連結管１４と空気流路切換手段１３と第３の連結管１１を経て吸引手段１０によって吸引され、第１の連結管３と液だまり５と第２の連結管４とヘッドセット６を経て吐出部７から吐出される。酸素富化空気発生運転中は前述したように酸素富化手段１５から発生する水蒸気により、第４の連結管１４と空気流路切換手段１３と第３の連結管１１と吸引手段１０と第１の連結管３と液だまり５と第２の連結管４とヘッドセット６各内面に結露が発生する。次に制御手段８は空気流路切換手段１３を切り換えて第３の連結管１１が空気取り入れ部１２と連通するように制御した後吸引手段１０を駆動する。通常空気が空気取り入れ部１２から空気流路切換手段１３と第３の連結管１１を経て吸引手段１０によって吸引され、第１の連結管３と液だまり５と第２の連結管４とヘッドセット６を経て吐出部７から吐出される。この時に酸素富化空気発生の運転時に発生・付着した空気流路切換手段１３と第３の連結管１１と吸引手段１０と第１の連結管３と液だまり５と第２の連結管４とヘッドセット６内面の結露水を乾燥するとともに空気流路切換手段１３と第３の連結管１１と吸引手段１０と第１の連結管３内の空気流路内の結露水を液だまり５に排出する。液だまり５は着脱自在に配置されており、液だまり５にたまった結露水は必要に応じて使用者が捨てられるようにしている。
【００１８】
以上のようにして、酸素富化機の酸素富化空気供給経路内に結露した水滴を、乾燥・排出して使用者が酸素富化空気と１緒に吸引することを防止する。
【００１９】
なお、本実施の形態においては、空気流路切換手段１３を空気流路２４上に設けて、前記空気流路切換手段１３を介して空気流路２４に連通する空気取り入れ部１２を設けているが、もちろん、空気流路切換手段１３自体を空気取り入れ部１２の役割を果たすようにして、空気の流れを変えるようにしても上記と同様の効果は有するのは当然である。
【００２０】
（実施の形態２）
次に本発明の第２の実施の形態について、図２と図３を３照しながら説明する。図２は概観図、図３は回路構成ブロック図である。
【００２１】
図３において、装置本体１の内部には、酸素の濃度を高めいわゆる酸素富化空気を発生する酸素富化手段１５（本実施の形態の場合は酸素富化膜ユニット）を設けている。前記酸素富化手段１５の酸素富化膜ユニットは有機高分子の平膜より構成され、膜を通過する分子の速度の差を利用するもので、空気中の窒素に比べ酸素をよく通すため、比較的高い酸素濃度のいわゆる酸素富化空気が得られる。通常の空気において酸素が占める割合は約２１％（窒素約７９％）であるが、本実施の形態の酸素富化膜ユニット（酸素富化手段１５）を通過後の酸素富化空気においては、酸素が占める割合が約３０％（窒素約７０％）となる。
【００２２】
１０は吸引手段で、酸素富化手段１５で生成される酸素富化空気を第１の空気流路１７を経て吸引して第１の連結管３と液だまり５と第２の連結管４とヘッドセット６とから成る第２の空気流路１６を経て吐出部７から吐出させる。吸引手段１０は、酸素富化手段１５の酸素富化膜の通過圧損に対抗して酸素富化空気の流量を稼ぐために運転時の圧力が高いベローズポンプを用いている。１８は空気流路切換手段で電磁弁を用いており、制御手段８からの駆動信号で駆動され、空気流路切換手段１８が閉じている時には、吸引手段１０は酸素富化空気（酸素富化手段１５からの空気）を吸引し、空気流路切換手段１８が開放している時には酸素富化手段１５の酸素富化膜は通過圧損が大きいために、吸引手段１０の吸引する空気は殆どが空気取り入れ部１２から吸引される通常空気（酸素富化手段１５以外からの空気）になる。
【００２３】
このように、空気流路切換手段１８を切り換えることで本装置は酸素富化空気発生運転（酸素富化空気を吐出部７から吐出させる運転モード）と送風運転（酸素富化空気以外の通常空気を吐出部７から吐出させる運転モード）との２種類の運転モードを具備する。このように、ヘッドセット６と第２の連結管４と液だまり５と第１の連結管３と吸引手段１０と第１の空気流路１７とで、酸素富化手段１５から吐出部７に至る空気流路２５を形成している。
【００２４】
図２の６はヘッドセットで、使用者が本装置を使用して酸素富化空気を吸引するときに頭部近傍に装着する。ところで、酸素富化手段１５（酸素富化膜ユニット）は酸素と同様水蒸気の透過度も窒素より大きく、湿度が高い雰囲気などで運転したときには酸素富化手段（酸素富化ユニット）から排出される酸素富化空気内には多量の水蒸気が含まれることとなるため、その水蒸気が吐出部７に結露水として達するのを低減させるために液だまり５が配置してある。
【００２５】
以上のように構成された酸素富化機においてその動作を説明する。
【００２６】
酸素富化空気発生運転時は、制御手段８は空気流路切換手段１８を閉じるように制御した後、吸引手段１０を駆動する。酸素富化手段１５で生成される酸素富化空気は第１空気流路１７を経て吸引手段１０によって吸引され、第２の空気流路１６を経て吐出部７から吐出される。酸素富化空気発生運転中は前述したように酸素富化手段１５から発生する水蒸気により、第１の空気流路１７と吸引手段１０と第２の空気流路１６内面に結露が発生する。次に制御手段８は空気流路切換手段１８を開放するように切り換えて第１の空気流路１７が空気取り入れ部１２と連通するように制御した後吸引手段１０を駆動する。通常空気が空気取り入れ部１２から空気流路切換手段１８と第１の空気流路１７とを経て吸引手段１０によって吸引され、第２の空気流路１６を経て吐出部７から吐出される。この時に酸素富化空気発生運転時に発生・付着した第１の空気流路１７と吸引手段１０と第２の空気流路１６内面の結露水を乾燥するとともに第１の空気流路１７と吸引手段１０と第１の連結管３内の空気流路内の結露水を液だまり５に排出する。液だまり５は着脱自在に配置されており、液だまり５にたまった結露水は必要に応じて使用者が捨てられるようにしている。
【００２７】
以上のようにして、酸素富化機の酸素富化空気供給経路内に結露した水滴を、乾燥・排出して使用者が酸素富化空気と１緒に吸引することを防止する。
【００２８】
なお、本実施の形態においては、空気流路切換手段１８を空気取り入れ部１２と第１の空気流路１７との間に設けているが、もちろん、空気取り入れ部１２を開閉するように空気取り入れ部１２に空気流路切換手段１８を設けて、空気の流れを変えるようにしても上記と同様の効果は有するのは当然である。
【００２９】
（実施の形態３）
次に本発明の第３の実施の形態について図２と図４と図５を３照しながら説明する。図２は概観図、図４は回路構成ブロック図、図５は動作説明図で、上記実施の形態と同１機能部位については同１記号を付与してその説明を省略する。
【００３０】
図４で１９は使用者によって操作される操作手段で、酸素富化機の運転開始操作を行う。制御手段８は操作手段１９で運転開始操作がなされたことを検知すると空気流路切換手段１８を閉じた後吸引手段１０を駆動して、酸素富化空気発生運転を開始する。然る後に制御手段８は空気流路切換手段１８を開放して送風運転を開始する。然る後に酸素富化機を停止する。その運転動作は図５に示す通りで、使用者によって運転開始操作がなされると、制御手段８は、酸素富化空気発生運転→送風運転→運転停止と運転モードを切り換える。
【００３１】
以上のようにして、使用者が酸素富化空気発生運転を行うと必ず送風運転を自動で行うようにすることで、酸素富化空気発生運転時に酸素富化機の酸素富化空気供給経路内に結露した水滴を送風運転にとって乾燥・排出して使用者が酸素富化空気と１緒に吸引することを防止する。
【００３２】
（実施の形態４）
次に本発明の第４の実施の形態について図２と図４と図６を３照しながら説明する。図２は概観図、図４は回路構成ブロック図、図６は動作説明図で、前述してきた各実施の形態と同１機能部位については同１記号を付与してその説明を省略する。
【００３３】
使用者が図２のヘッドセット６を装着して、図４の操作手段１９を操作すると、制御手段８は運転開始操作がなされたことを検知し、空気流路切換手段１８を閉じてから吸引手段１０を駆動して、酸素富化空気発生運転を開始する。所定時間酸素富化空気発生運転を行った後に、制御手段８は、所定時間吸引手段１０を停止する運転待機工程を経た後、空気流路切換手段１８を開いてから吸引手段１０を再び駆動して送風運転を開始する。所定時間の送風運転の後、制御手段８は吸引手段１０を停止して装置の運転を完全に停止する。前記各運転モードの状態は図６に示す動作説明図で理解することができよう。
【００３４】
ところで、送風運転では吐出部７から出てくる空気は単なる通常空気であるとともに、吸引手段１０にとって吸気圧損が少ない空気流路切換手段１８から空気を吸引することになるため、吐出風量も多くなり、使用者にとっては不快に感じることもあるであろう。本発明の制御動作の運転待機工程では吐出部７からの空気吐出がなくなるとともに、吸引手段１０であるポンプの運転も１時運転を停止するため、使用者は吐出空気がなくなったことを肌で感じるとともに、ポンプが停止したことを耳でも聞くことがきるため、酸素富化空気発生運転が完了して運転待機工程になったことを認識できるので、使用者はヘッドセット６を外して例えば装置本体１に引っかける等して収納することができる。
【００３５】
本発明では前記運転待機工程の時間を約５〜１０秒とすることで、図２の概観図に示すような酸素富化機において、前述したヘッドセット６の収納時の取り回し時間等として長過ぎて機器の故障と思うようなことも無く、又短過ぎて収納途中で運転が始まって忙しない思いをすることもなく、優れた使い勝手の良さを発揮する制御としている。
【００３６】
（実施の形態５）
次に本発明の第５の実施の形態について図２と図４と図７を３照しながら説明する。図２は概観図、図４は回路構成ブロック図、図７は動作説明図で、前述してきた各実施の形態と同１機能部位については同１記号を付与してその説明を省略する。
【００３７】
使用者が図２のヘッドセット６を装着して、図４の操作手段１９を操作すると制御手段８は運転開始操作がなされたことを検知して空気流路切換手段１８を閉じてから吸引手段１０を駆動して酸素富化空気発生運転を開始する。所定時間の酸素富化空気発生運転終了後又は使用者が運転切り操作を行ったことを制御手段８が検知すると、制御手段８は所定時間吸引手段１０を停止する運転待機工程を経た後、空気流路切換手段１８を開いてから吸引手段１０を再び駆動して送風運転を開始する。所定時間の送風運転の後、制御手段８は吸引手段１０を停止して装置の運転を完全に停止する。前記各運転モードの動作遷移は、図７に示す動作説明図で理解することが出来よう。つまり制御動作として、
１．操作手段１９によって運転開始操作がなされて酸素富化空気発生運転を開始すると、所定の時間酸素富化空気発生運転（例えば第１のタイマー運転）完了後、約５〜１０秒の運転待機工程を経てから所定時間送風運転（例えば第２のタイマー運転）を行い運転停止する。
【００３８】
２．操作手段１９によって運転開始操作がなされて酸素富化空気発生運転を開始した後運転切り操作がなされると、所定の時間酸素富化空気発生運転（例えば第１のタイマー運転）完了を待たずに直ちに約５〜１０秒の運転待機工程を経てから所定時間送風運転（第２のタイマー運転）を行い運転停止する。
【００３９】
以上の２通りの制御動作を備え、１旦酸素富化空気発生運転を開始すると必ず送風運転を行ってから運転停止するよう制御することで、酸素富化空気発生運転時に酸素富化機の酸素富化空気供給経路内に結露した水滴を送風運転によって乾燥・排出することができるため、使用者が酸素富化空気と１緒に結露水を吸引することを防止できる。
【００４０】
（実施の形態６）
次に本発明の第６の実施の形態について図２と図８を３照しながら説明する。図２は概観図、図８は回路構成ブロック図で、前述してきた各実施の形態と同１機能部位については同１記号を付与してその説明を省略する。
【００４１】
図８において２０は制御手段８で駆動制御され、空気取り入れ部１２から吸引される通常空気を加熱する加熱手段で、加熱された高温・乾燥空気が第３の空気流路２１へ送ることができる。
【００４２】
以上のように構成された酸素富化機について動作を説明する。
【００４３】
使用者が図２のヘッドセット６を装着して、図８の操作手段１９を操作すると制御手段８は運転開始操作がなされたことを検知し、空気流路切換手段１８を閉じてから吸引手段１０を駆動して酸素富化空気発生運転を開始する。所定時間の酸素富化空気発生運転終了後又は使用者が運転切り操作を行ったことを制御手段８が検知すると、制御手段８は所定時間吸引手段１０を停止する運転待機工程を経た後、空気流路切換手段１８を開き且つ加熱手段２０に駆動信号を送ってから、吸引手段１０を再び駆動して送風運転を開始する。所定時間の送風運転の後、制御手段８は加熱手段２０を更に吸引手段１０を停止して装置の運転を完全に停止する。
【００４４】
送風運転時は、空気取り入れ部１２から取り入れられた空気は加熱手段２０で加熱・乾燥されてから第３の空気流路２１と空気流路切換手段１８と第１の空気流路１７を経て吸引手段１０で吸引され、第２の空気流路１６を経て吐出部７から吐出されるため、酸素富化空気発生運転時に酸素富化空気供給経路（第１の空気流路１７と吸引手段１０と第２の空気流路１６）内に結露した水滴を送風運転によって効率よく乾燥・排出することができるため、酸素富化空気発生運転時に使用者が酸素富化空気と１緒に結露水を吸引することを防止できる。
【００４５】
（実施の形態７）
次に本発明の第７の実施の形態について図２と図９を３照しながら説明する。図２は概観図、図９は回路構成ブロック図で前述してきた各実施の形態と同１機能部位については同１記号を付与してその説明を省略する。
【００４６】
図９において、２２は湿度検知手段で空気中の湿度情報信号Ｈを制御手段８に送信する。制御手段８は、湿度検知手段２２からの情報Ｈに応じて送風運転時の送風運転時間ＴＳを変更駆動する。
【００４７】
以上のように構成された酸素富化機について動作を説明する。
【００４８】
使用者が図２のヘッドセット６を装着して、図８の操作手段１９を操作すると制御手段８は運転開始操作がなされたことを検知し、空気流路切換手段１８を閉じてから吸引手段１０を駆動して酸素富化空気発生運転を開始する。このとき、装置本体１の設置環境湿度によって、機器の酸素富化空気供給経路内の結露水発生量が変化する。即ち、湿度が高い場合は多くの結露水が発生し、又湿度が低い場合は結露水の発生量は少なくなる。所定時間の酸素富化空気発生運転終了後又は使用者が運転切り操作を行ったことを制御手段８が検知すると、制御手段８は所定時間吸引手段１０を停止する運転待機工程を経た後、空気流路切換手段１８を開いてから吸引手段１０を再び駆動して送風運転を開始する。ここで制御手段８は湿度検知手段２２の情報Ｈから機器設置環境下の湿度を観測して送風運転時間ＴＳを決定する。即ち、湿度が高い場合は送風運転時間ＴＳを長くして酸素富化空気発生運転時に酸素富化空気供給経路（第１の空気流路１７と吸引手段１０と第２の空気流路１６）内に結露した水滴を確実に乾燥・排出できるようにするとともに、湿度が低い場合は送風運転時ＴＳを短くすることで結露水を乾燥・排出しつつ機器の送風運転による電力消費量を低減するよう制御（運転）する。
【００４９】
（実施の形態８）
次に本発明の第８の実施の形態について図２と図９と図１０を３照しながら説明する。図１０は本発明に関する機器の設置環境湿度Ｈと送風運転時間ＴＳと加熱手段２０の駆動率Ｄとの制御関係の１例を示すグラフである。
【００５０】
使用者が図２のヘッドセット６を装着して、図９の操作手段１９を操作すると制御手段８は運転開始操作がなされたことを検知し、空気流路切換手段１８を閉じてから吸引手段１０を駆動して酸素富化空気発生運転を開始する。このとき装置本体１の設置環境湿度によって、機器の酸素富化空気供給経路内の結露水発生量が変化する。即ち湿度が高い場合は多くの結露水が発生し、又湿度が低い場合は結露水の発生量は少なくなる。所定時間の酸素富化空気発生運転終了後又は使用者が運転切り操作を行ったことを制御手段８が検知すると、制御手段８は所定時間吸引手段１０を停止する運転待機工程を経た後、空気流路切換手段１８を開いてから吸引手段１０を再び駆動して送風運転を開始する。ここで制御手段８は湿度検知手段２２の情報から機器設置環境下の湿度を観測して、送風運転時間ＴＳと加熱手段２０の駆動率（消費電力量）Ｄを０〜１００％の範囲で設定する。即ち、湿度が高い場合は送風運転時間ＴＳを長くするとともに加熱手段２０の駆動率Ｄ（発熱量）を大きく（例えば１００％）して、酸素富化空気発生運転時に酸素富化空気供給経路（第１の空気流路１７と吸引手段１０と第２の空気流路１６）内に結露した水滴を確実に乾燥・排出できるようにするとともに、湿度が低い場合は送風運転時ＴＳを短くするとともに加熱手段２０の駆動率を小さく（例えば０％）して、結露水を乾燥・排出しつつ送風運転時に機器が消費する電力量を低減するよう制御・運転する。
【００５１】
図１０は本実施の形態における送風運転時の湿度検知手段２２からの情報Ｈに応じた加熱手段２０の駆動率Ｄと送風運転時間ＴＳとの関係の１例を示しており、１）湿度が５０％以下の場合は駆動率Ｄは０％でＴＳは１分、２）湿度が５０〜６０％の場合は駆動率Ｄは５０％でＴＳは１分、３）湿度が６０〜７０％の場合は駆動率Ｄは５０％でＴＳは２分、４）湿度が７０〜８０％の場合は駆動率Ｄは１００％でＴＳは２分、５）湿度が８０％以上の場合は駆動率Ｄは１００％でＴＳは３分で制御・運転されることを示している。
【００５２】
即ち、湿度が高くて酸素富化空気発生運転時に酸素富化空気供給経路（第１の空気流路１７と吸引手段１０と第２の空気流路１６）内に多くの結露水が溜まっても加熱手段２０をフルに駆動するとともに送風運転時間を長くして確実に乾燥・排出できるようにするとともに、湿度が低く酸素富化空気発生運転時に酸素富化空気供給経路に殆ど結露水が付着することが無い場合は送風運転時ＴＳを短くするとともに加熱手段２０の駆動率Ｄを低くして、結露水を乾燥・排出しつつ機器の送風運転時の電力消費量を低減するよう制御（運転）する。
【００５３】
（実施の形態９）
次に本発明の第９の実施の形態について図２と図１１と図１２と図１３を３照しながら説明する。図１１は本発明に関する機器の制御動作を示す動作説明図、図１２は本発明の酸素富化空気発生運転時間ＴＤと送風運転時間ＴＳとの制御関係の１例を示すグラフ、図１３は本発明の実施の形態を示す回路構成ブロック図である。
【００５４】
図１３において、２３は酸素富化空気発生運転時間を観測して制御手段へ情報ＴＤを送る計時手段で、制御手段８は計時手段２３からの情報に応じて送風運転時間ＴＳを変更して運転する。
【００５５】
使用者が図２のヘッドセット６を装着して、図１３の操作手段１９を操作（例えば運転時間ＴＤのタイマー運転操作）すると、制御手段８は運転開始操作がなされたことを検知し、空気流路切換手段１８を閉じてから吸引手段１０を駆動して酸素富化空気発生運転を開始する。機器の酸素富化空気供給経路内の結露水発生量は機器の酸素富化空気発生運転時間に略比例するため、酸素富化空気発生運転時間が長い場合は多くの結露水が発生し、又酸素富化空気発生運転時間が短い場合は少しの結露水しか発生しない。操作手段１９で設定されたタイマー運転時間ＴＤ通りの酸素富化空気発生運転終了後、又は使用者が運転切り操作を行ったことを制御手段８が検知すると、制御手段８は所定時間吸引手段１０を停止する運転待機工程を行う。ここで制御手段８は計時手段２３の情報から実際の酸素富化空気発生運転時間を検知して以降の送風運転時間ＴＳを決定する。所定時間の運転待機工程を経た後、制御手段８は空気流路切換手段１８を開いてから吸引手段１０を再び駆動して送風運転を開始して送風運転時間ＴＳ経過後に機器を停止する。
【００５６】
上記の制御動作の様子は図１１を３照することで理解できよう。
【００５７】
又、図１２には本発明によるＴＤとＴＳとの制御関係の例を示しており、１．ＴＤが０〜１０分の時はＴＳは１分、２．ＴＤが１０〜２０分の時はＴＳは２分、３．ＴＤが２０〜３０分の時はＴＳは３分となるように制御手段で制御・運転する。
【産業上の利用可能性】
【００５８】
以上のように、本発明にかかる酸素富化機は、酸素富化空気と１緒に使用者が水滴を吸引することを防止できるため、清潔で、使用者に常にリフレッシュ感を提供する機器として、極めて有用なものである。
【図面の簡単な説明】
【００５９】
【図１】本発明の第１の実施の形態における酸素富化機の回路構成を示すブロック図
【図２】本発明の実施の形態における酸素富化機の概観図
【図３】本発明の第２の実施の形態における酸素富化機の回路構成ブロック図
【図４】本発明の第３、第４、第５の実施の形態における酸素富化機の回路構成ブロック図
【図５】本発明の第３の実施の形態における酸素富化機の動作説明図
【図６】本発明の第４の実施の形態における酸素富化機の動作説明図
【図７】本発明の第５の実施の形態における酸素富化機の動作説明図
【図８】本発明の第６の実施の形態における酸素富化機の回路構成ブロック図
【図９】本発明の第７、第８の実施の形態とにおける酸素富化機の回路構成ブロック図
【図１０】本発明の第８の実施の形態における酸素富化機の動作説明図
【図１１】本発明の第８、第９の実施の形態における酸素富化機の動作説明図
【図１２】本発明の第９の実施の形態における酸素富化機の動作説明図
【図１３】同酸素富化機の回路構成ブロック図
【符号の説明】
【００６０】
７  吐出部
８  制御手段
１０  吸引手段
１２  空気取り入れ部
１３  空気流路切換手段
１５  酸素富化手段（酸素富化膜ユニット）
２０  加熱手段
２２  湿度検知手段
２３  計時手段
２４  空気流路
【図１】
2004249084.tif 000003
【図２】
2004249084.tif 000004
【図３】
2004249084.tif 000005
【図４】
2004249084.tif 000006
【図５】
2004249084.tif 000007
【図６】
2004249084.tif 000008
【図７】
2004249084.tif 000009
【図８】
2004249084.tif 000010
【図９】
2004249084.tif 000011
【図１０】
2004249084.tif 000012
【図１１】
2004249084.tif 000013
【図１２】
2004249084.tif 000014
【図１３】
2004249084.tif 000015